(57)【要約】【課題】  原稿搬送部の画像読取部に対する取り付け調整作業を省略すると共に、画像読取手段と原稿搬送部との間の高精度な位置決めを実現することのできる画像読取装置を提供する。【解決手段】  画像読取部１０１に画像読取手段１１０を設け、原稿台ガラス１０３上に載置された原稿Ｓの画像を読み取る際には、この画像読取手段１１０を副走査方向に移動させながら原稿Ｓの画像を読み取り、原稿搬送部２０１により原稿台ガラス１０３上を搬送される原稿Ｓの画像を読み取る際には、この画像読取手段１０１を所定の読取位置に移動した後、この所定の読取位置にて原稿Ｓの画像を読み取る。そして、画像読取手段１１０が所定の読取位置に移動した際、原稿搬送部２０１の位置決めピン２０５と、突き当て部材１０６の穴部とによって構成される位置決め手段により、原稿搬送部２０１に対する画像読取手段１１０の、原稿搬送方向における位置決めを行う。【選択図】      図１
2006074495.tif 000002
【特許請求の範囲】
【請求項１】
原稿画像を読み取る画像読取部と、前記画像読取部に原稿を搬送すると共に、該画像読取部に対して開閉可能に設けられた原稿搬送部とを備えた画像読取装置において、
原稿台ガラスと、
前記画像読取部に設けられ、原稿台ガラス上に載置された原稿の画像を読み取る際には、副走査方向に移動しながら前記原稿の画像を読み取り、前記原稿搬送部により原稿台ガラス上を搬送される原稿の画像を読み取る際には、所定の読取位置に移動した後、該所定の読取位置にて前記原稿の画像を読み取る画像読取手段と、
前記画像読取手段が前記所定の読取位置に移動した際、前記原稿搬送部に対する該画像読取手段の、原稿搬送方向における位置決めを行う位置決め手段と、
を備えたことを特徴とする画像読取装置。
【請求項２】
前記位置決め手段は前記画像読取手段の主走査方向が前記原稿搬送部による原稿の搬送方向に対して直角となるように該画像読取手段の位置決めを行うことを特徴とする請求項１記載の画像読取装置。
【請求項３】
前記位置決め手段は、前記原稿搬送部に設けられた位置決め部材と、前記画像読取部に設けられ、前記原稿搬送部が閉じられた際、前記位置決め部材によって位置が決められ、前記所定の読取位置に移動する画像読取手段と当接して該画像読取手段の位置決めを行う突き当て部材とを備えていることを特徴とする請求項１又は２記載の画像読取装置。
【請求項４】
前記突き当て部材は、前記原稿搬送部に設けられた前記位置決め部材が嵌合する嵌合部を有し、前記位置決め部材が前記嵌合部に嵌合することによって前記突き当て部材の位置が決められることを特徴とする請求項３に記載の画像読取装置。
【請求項５】
前記位置決め手段の前記位置決め部材は、前記原稿搬送部が閉じられた際、前記突き当て部材と嵌合しない位置に移動可能となっていることを特徴とする請求項４記載の画像読取装置。
【請求項６】
前記突き当て部材を、前記画像読取手段を位置決めする位置から退避させる退避手段を備えたことを特徴とする請求項３乃至５のいずれか１項記載の画像読取装置。
【請求項７】
前記画像読取手段は、照明手段と、センサ部と、前記原稿の画像をセンサ部に結像する結像手段と、を備えたことを特徴とする請求項１乃至６のいずれか１項に記載の画像読取装置。
【請求項８】
前記画像読取手段は、照明手段と、電荷結合素子と、前記原稿の画像を前記電荷結合素子に結像する結像手段と、を備えたことを特徴とする請求項１乃至６のいずれか１項に記載の画像読取装置。
【発明の詳細な説明】
【技術分野】
【０００１】
本発明は、画像読取装置に関し、特に画像読取手段を位置決めする構成に関する。
【背景技術】
【０００２】
従来、スキャナ等の画像読取装置においては、画像読取部と、画像読取部に原稿を搬送する原稿搬送部を備えたものがあり、さらに画像読取部に対して原稿搬送部が開閉可能となったものがある。
【０００３】
そして、このような画像読取装置において、原稿台ガラス上に載置された原稿の画像を読み取る、所謂固定読みの際には、画像読取部に設けられた画像読取手段を副走査方向に移動しながら原稿の画像を読み取るようにしている。また、原稿搬送部により原稿台ガラス上を搬送される原稿の画像を読み取る、所謂流し読みの際には、画像読取手段を所定の読取位置に移動した後、この所定の読取位置にて原稿の画像を読み取るようにしている。
【０００４】
ところで、このような構成の画像読取装置において、画像読取位置に対して原稿搬送位置及び原稿搬送方向を所定の関係にするために、原稿搬送部の位置を調整して画像読取部に取り付けている。
【０００５】
また、画像読取部に設けられた画像読取手段の原稿に対する位置を保証するため、画像読取手段を原稿搬送部の原稿搬送ローラに押し付けるようにしたものがある（例えば、特許文献１参照）。
【０００６】
【特許文献１】特開平１０−２２４５５３号公報
【発明の開示】
【発明が解決しようとする課題】
【０００７】
しかしながら、このような従来の画像読取装置において、原稿搬送部の調整を行なう場合には、実際に原稿搬送部により原稿を搬送し、読み取られた画像から調整ズレを算出しているため、非常に手間がかかる作業になっていた。さらに、実際に原稿を搬送して画像を読み取る場合には、原稿の状態や搬送状態によって読み取られる画像が変化してしまうので、正確に調整することができなかった。
【０００８】
また、画像読取手段を原稿搬送ローラに押し付けても、画像読取手段と原稿搬送部との間の位置決めを高精度に行うことができないことから、読取位置に対する原稿搬送位置及び原稿搬送方向の関係を保証することはできなかった。
【０００９】
そこで、本発明は、このような現状に鑑みてなされたものであり、原稿搬送部の画像読取部に対する取り付け調整作業を省略すると共に、画像読取手段と原稿搬送部との間の高精度な位置決めを実現することのできる画像読取装置を提供することを目的とするものである。
【課題を解決するための手段】
【００１０】
本発明は、原稿画像を読み取る画像読取部と、前記画像読取部に原稿を搬送すると共に、該画像読取部に対して開閉可能に設けられた原稿搬送部とを備えた画像読取装置において、原稿台ガラスと、前記画像読取部に設けられ、原稿台ガラス上に載置された原稿の画像を読み取る際には、副走査方向に移動しながら前記原稿の画像を読み取り、前記原稿搬送部により原稿台ガラス上を搬送される原稿の画像を読み取る際には、所定の読取位置に移動した後、該所定の読取位置にて前記原稿の画像を読み取る画像読取手段と、前記画像読取手段が前記所定の読取位置に移動した際、前記原稿搬送部に対する該画像読取手段の、原稿搬送方向における位置決めを行う位置決め手段と、を備えたことを特徴とするものである。
【発明の効果】
【００１１】
本発明にように、画像読取手段の位置決めを行う位置決め手段を設け、この位置決め手段によって原稿搬送部に対して画像読取手段の、原稿搬送方向における位置決めを行うことにより、原稿搬送部の画像読取部に対する取り付け調整作業を省略すると共に、画像読取手段と原稿搬送部との間の高精度な位置決めを実現することができる。
【発明を実施するための最良の形態】
【００１２】
以下、本発明を実施するための最良の形態について図面を用いて詳細に説明する。
【００１３】
図１は、本発明の第１の実施の形態に係る画像読取装置の構成を示す図である。
【００１４】
図１において、１００は画像読取装置であり、この画像読取装置１００は、画像読取部１０１と、画像読取部１０１に原稿Ｓを搬送する原稿搬送部２０１とを備えている。
【００１５】
そして、画像読取部１０１は、画像読取手段であるコンタクトイメージセンサ（以下、ＣＩＳという）１１０を備えており、このＣＩＳ１１０は、結像手段であるセルフォックレンズ１１１と、照明手段であるキセノンランプ１１２と、センサ部であるイメージセンサ基板１１３と、これらを取り付ける筐体１１５を備えている。ここで、イメージセンサ基板１１３には、不図示の複数の光電素子が図１において前奥方向（主走査方向）に配列されており、各光電素子の画像データは配列の順番で伝送される。
【００１６】
また、ＣＩＳ１１０は、箱状のキャリッジ１１６に上下方向に自由に移動可能に積載されると共にバネ１１７により上方向に加圧され、スライダー１１４を介して、既述した固定読みの際、原稿Ｓが固定される原稿台ガラス１０３及び既述した流し読みの際、原稿Ｓがその上面を通過する原稿台ガラスの一例としての流し読みガラス１０４の下面に当接される。なお、スライダー１１４には、公知の摺動部材、コロ等が用いられる。
【００１７】
ところで、ＣＩＳ１１０は、図２に示すように、ガイドシャフト１０２と、モータ１０５により駆動されるタイミングベルト１０６により、主走査方向と直交する方向（副走査方向）に移動可能となっており、このように移動することにより、例えば固定読みの際、副走査方向に移動して原稿画像を読み取るようになっている。
【００１８】
なお、図２において、１１０ａはＣＩＳ１１０の主走査方向の両端部に形成された穴部、１１９は箱状のキャリッジ１１６に立設されたピン、１１８はキャリッジ１１６とＣＩＳ１１０との間に配されたバネであり、ＣＩＳ１１０の穴部１１０ａにキャリッジ１１６のピン１１９を緩嵌すると共に、バネ１１８によりＣＩＳ１１０が押圧されることにより、符号Ａで示す固定読みを開始する基準位置において、ピン１１９にＣＩＳ１１０の穴部１１０ａが当接する。そして、このようにピン１１９に穴部１１０ａが当接することにより、ＣＩＳ１１０は基準位置に位置決めされる。
【００１９】
一方、原稿搬送部２０１は、図１に示すように、原稿Ｓを載置する給紙トレイ２０３と、給紙トレイ２０３上に載置された原稿Ｓを一枚ずつ分離・給送する給紙部２０８と、原稿Ｓの斜行を補正するレジストローラ２０９と、原稿Ｓを搬送して流し読みガラス１０４上を通過させる上流側読取ローラ２１０及び下流側読取ローラ２１１と、画像が読み取られた原稿Ｓを排紙トレイ２０４上に排出する排紙ローラ２１２を備えている。
【００２０】
なお、１０７は読取枠体であり、ガイドシャフト１０２、原稿台ガラス１０３、流し読みガラス１０４、ジャンプ台１０５は、それぞれ読取枠体１０７に固定されている。
【００２１】
次に、このように構成された画像読取装置１００の原稿画像読取動作について説明する。
【００２２】
原稿画像を読み取る際、例えば原稿台ガラス上に載置された原稿Ｓの画像を読み取る固定読みの場合は、原稿台ガラス１０３上に原稿Ｓを載置した後、キャリッジ１１６と一体にＣＩＳ１１０を、ガイドシャフト１０２に沿ってタイミングベルト１０６を介してモータ１０５により副走査方向に移動させる。そして、このように移動するとき、キセノンランプ１１２が原稿台ガラス１０３上の原稿を照明し、その反射光がセルフォックレンズ１１１によりイメージセンサ基板１１３上に原稿画像に対して等倍で結像され、原稿の画像情報が読み取られる。
【００２３】
一方、流し読みにて画像を読み取る場合は、まず画像読取部１０１は、ＣＩＳ１１０を、所定の読取位置である図２の符号Ｂで示す、流し読みガラス１０４の直下の流し読み位置に移動させる。次に、原稿搬送部２０１は、給紙トレイ２０３上に載置された原稿Ｓを給紙部２０８により一枚ずつ分離・給送し、この後、レジストローラ２０９により斜行を補正し、上流側読取ローラ２１０によって流し読みガラス１０４上を搬送する。
【００２４】
そして、このように原稿Ｓが流し読みガラス１０４上を搬送される際、流し読みガラス１０４の直下に移動しているＣＩＳ１１０の、キセノンランプ１１２が流し読みガラス１０４上を搬送されている原稿Ｓを照明し、その反射光がセルフォックレンズ１１１によりイメージセンサ基板１１３上に結像され、原稿の画像情報が読み取られる。
【００２５】
次に、このように画像が読み取られた原稿Ｓは、ジャンプ台１０５により再度原稿搬送部２０１に案内され、下流側読取ローラ２１１、排紙ローラ２１２により排紙トレイ２０４上に排出される。
【００２６】
ところで、原稿搬送部２０１は、図３に示すように、ヒンジ２０２を介して画像読取部１０１に対して開閉（接離）可能に保持されている。そして、固定読みを行う場合は、原稿台ガラス１０３上に原稿Ｓを載置した後、原稿搬送部２０１を下方回動させて閉じ、原稿台ガラス１０３上の原稿Ｓを押さえるようにしている。
【００２７】
一方、図１及び図２において、１０６は突き当て部材であり、ＣＩＳ１１０が流し読みのため、図２の符号Ｂで示す流し読み位置に移動した際、ＣＩＳ１１０の筐体１１５に形成された突起部１１５ａが突き当て部材１０６に当接する。そして、このように突き当て部材１０６にＣＩＳ１１０が突き当たることにより、ＣＩＳ１１０が位置決めされる。このとき、ＣＩＳ１１０は、不図示の光電素子の配列方向が原稿搬送方向に対して直角となるように位置決めされる。これにより、正確に画像を読み取ることが出来るようになる。
【００２８】
なお、このように突き当て部材１０６に当接した際、ＣＩＳ１１０はバネ１１８に抗しながらキャリッジ１１６に対して移動方向と逆方向に相対的に移動し、これによりバネ１１８よるピン１１９と穴部１１０ａとの当接が解除される。この結果、ＣＩＳ１１０の位置決めは、キャリッジ１１６とは無関係に行われる。
【００２９】
ところで、この突き当て部材１０６の主走査方向の両端部には穴部１０６ａが形成されている。また、原稿搬送部２０１には、図４に示すように、この穴部１０６ａに嵌合させるための位置決め部材である位置決めピン２０５が設けられている。
【００３０】
そして、本実施の形態において、画像読取部１０１（の読取枠体１０７）に原稿搬送部２０１及び突き当て部材１０６を取り付ける場合には、まず突き当て部材１０６を固定することなく取り付けると共に、ヒンジ２０２を介して原稿搬送部２０１を画像読取部１０１に対して開閉に取り付ける。
【００３１】
次に、原稿搬送部２０１を下方回動させて閉じることにより、図４の（ａ）に示すように、嵌合部である突き当て部材１０６の穴部１０６ａに原稿搬送部２０１に設けられた位置決めピン２０５を嵌合させる。ここで、このように位置決めピン２０５を穴部１０６ａに嵌合させることにより、突き当て部材１０６が原稿搬送部２０１により位置決めされる。
【００３２】
次に、このように突き当て部材１０６の穴部１０６ａに位置決めピン２０５が嵌合した状態で、突き当て部材１０６を読取枠体１０７にビス１２０（図２参照）で固定する。ここで、このようにＣＩＳ１１０の位置決めを行う突き当て部材１０６の位置決めを原稿搬送部２０１によって行うことにより、突き当て部材１０６を介してＣＩＳ１１０の位置決めを行うことができ、原稿搬送部２０１に対するＣＩＳ１１０の位置決め精度が向上する。
【００３３】
さらに、本実施の形態のように、先に原稿搬送部２０１を画像読取部１０１に取り付け、この後、原稿搬送部２０１により突き当て部材１０６の位置決めを行うようにすることにより、原稿搬送部２０１の画像読取部１０１に対する調整作業を省略することができる。なお、本実施の形態において、調整ズレが生じた場合は、突き当て部材１０６の取り付け位置を調整すればよく、従来のように原稿搬送部２０１を調整する場合に比べて、手間が少なくてすむ。
【００３４】
ところで、位置決めピン２０５は、ステー２０６に固定されており、突き当て部材１０６を位置決め固定した後は、図４の（ｂ）に示すように、原稿搬送部２０１が閉じられた場合でも、位置決めピン２０５が画像読取部１０１から離間する状態となるようステー２０６を上方に移動させた状態で固定するようにしている。これにより、装置動作時に位置決めピン２０６と画像読取部１０１との間で原稿Ｓが挟まれて原稿Ｓが破損することが無いようにすることができる。
【００３５】
このように、原稿搬送部２０１の位置決めピン２０５と、突き当て部材１０６の穴部１０６ａとによりＣＩＳ１１０の位置決めを行う位置決め手段を構成し、この位置決め手段によって原稿搬送部２０１に対してＣＩＳ１１０の、原稿搬送方向における位置決めを行うことにより、原稿搬送部２０１の画像読取部１０１に対する取り付け調整作業を省略すると共に、高精度な位置決めを実現することができる。これにより、原稿Ｓに対して位置及び傾きの差異が極小である読取画像を、安価で高い信頼性をもって得ることが可能となった。
【００３６】
次に、本発明の第２の実施の形態について説明する。
【００３７】
図５は、本実施の形態に係る画像読取装置の構成を示す図である。なお、図５において、図１と同一符号は、同一又は相当部分を示している。
【００３８】
図５において、１５１は照明手段であるキセノンランプ、１５２〜１５６は反射ミラー、１５７は結像手段である結像レンズ、１５８は原稿Ｓからの反射光を受光するＣＣＤ（電荷結合素子）である。そして、本実施の形態において、画像読み取り手段は、キセノンランプ１５１、反射ミラー１５２〜１５６、結像レンズ１５７、ＣＣＤ１５８を一体的に筐体１５０に固定した１ＢＯＸ型のものである。
【００３９】
そして、画像を読み取る際は、既述した第１の実施の形態と同様にして原稿台ガラス１０３、流し読みガラス１０４及び突き当て部材１０６に対して１ＢＯＸ型の画像読取手段の位置出しを行い、原稿台ガラス１０３上に載置された原稿及び流し読みガラス１０４上を搬送される原稿の画像を読み取るようにしている。
【００４０】
ところで、これまでの説明においては、画像読取手段の固定読みを行う位置と、流し読みを行う位置が異なる構成の画像読取装置について述べたが、本発明は、これに限らず、載置された原稿及び搬送されている原稿のいずれの場合でも、原稿台ガラス１３１上で画像を読み取るようにした画像読取装置においても適用することができる。
【００４１】
次に、このような本発明の第３の実施の形態について説明する。
【００４２】
図６は、本実施の形態に係る画像読取装置の構成を示す図である。なお、図６において、図１と同一符号は、同一又は相当部分を示している。
【００４３】
図６において、１３２は突き当て部材、２２１は原稿を搬送する搬送ベルトであり、搬送ベルト２２１により搬送される原稿を読み取る際には、ＣＩＳ１１０は突き当て部材１３２に突き当たり、原稿台ガラス上１３１の一端側に設けられた流し読み位置に位置決めされるようになっている。
【００４４】
また、原稿台ガラス上に載置された原稿Ｓの画像を読み取る固定読みの場合は、ＣＩＳ１１０はキャリッジ１１６と一体に、この場合は基準位置となる図６に示す位置から副走査方向に移動しながら画像を読み取るようになっている。
【００４５】
このように、本実施の形態においては、載置された原稿及び搬送ベルト２２１により搬送されている原稿のいずれの場合でも、原稿台ガラス１３１上で画像を読み取ることができる。
【００４６】
ところで、このように構成した場合、特に固定読みの際、突き当て部材１３２が図６に示す位置にあると、一度副走査方向に移動したＣＩＳ１１０が基準位置まで戻ろうとすると、慣性により突き当て部材１３２に衝突する恐れがある。
【００４７】
このため、本実施の形態においては、基準位置まで戻ろうとするＣＩＳ１１０が突き当て部材１３２に衝突することがないように、不図示の退避手段を設け、突き当て部材１３２を、ＣＩＳ１１０の突起部１１５ａと当接することのない位置まで退避させるようにしている。そして、このように退避手段により突き当て部材１３２を、ＣＩＳ１１０を位置決めする位置から退避させることにより、固定した原稿と搬送している原稿を同じ原稿台ガラス上で読み取ることができる。
【００４８】
なお、これまでの説明においては、画像読取装置単体について説明してきたが、本発明はこれに限らず、画像読取装置を備えた画像形成装置についても適用することができるのは言うまでもない。
【図面の簡単な説明】
【００４９】
【図１】本発明の第１の実施の形態に係る画像読取装置の構成を示す図。
【図２】上記画像読取装置の上視図。
【図３】上記画像読取装置の斜視図。
【図４】上記画像読取装置の突き当て部材の原稿搬送部に対する位置決め動作を説明する図。
【図５】本発明の第２の実施の形態に係る画像読取装置の構成を示す図。
【図６】本発明の第３の実施の形態に係る画像読取装置の構成を示す図。
【符号の説明】
【００５０】
１００        画像読取装置
１０１        画像読取部
１０３        原稿台ガラス
１０４        流し読みガラス
１０６        突き当て部材
１０６ａ      穴部
１０７        読取枠体
１１０        ＣＩＳ
１１１        セルフォックレンズ
１１２        キセノンランプ
１１３        イメージセンサ基板
１３２        突き当て部材
１５１        キセノンランプ
１５７        結像レンズ
１５８        ＣＣＤ（電荷結合素子）
２０１        原稿搬送部
２０５        位置決めピン
Ｓ            原稿
【図１】
2006074495.tif 000003
【図２】
2006074495.tif 000004
【図３】
2006074495.tif 000005
【図４】
2006074495.tif 000006
【図５】
2006074495.tif 000007
【図６】
2006074495.tif 000008